(57)【要約】【課題】磁気ディスクの表面をクリーニングするためのライナを内部に備えた磁気ディスクカートリッジにおいて、磁気ディスクカートリッジをドライブ装置にローディングする以前にカートリッジ形態で磁気ディスクをクリーニングする。【解決手段】シャッタ１６がハウジング１２の開口１２ａを閉鎖したままの状態で磁気ディスクを回転させるクリーニング装置２０に磁気ディスクカートリッジ１１をセットして、磁気ディスクを回転させる。【選択図】          図１
2004158137.tif 000002
【特許請求の範囲】
【請求項１】
センタコアを中心部に固着した円盤状の磁気ディスクを内部に収容するハウジングに、ドライブ装置が備えている磁気ヘッドを前記磁気ディスクにアクセスさせるための開口と、該開口を開閉するためのシャッタ部材とが設けられ、かつ前記磁気ディスクと対向する前記ハウジングの内面に、または前記磁気ディスクと対向する前記シャッタ部材の内面に、前記磁気ディスクの表面をクリーニングするためのライナが固定されてなる磁気ディスクカートリッジのための磁気ディスクのクリーニング装置であって、
前記シャッタ部材が前記開口を閉鎖したままの状態の前記磁気ディスクカートリッジを収容し得る筐体と、該筐体に収容された前記磁気ディスクカートリッジのセンタコアをチャックして前記磁気ディスクを回転駆動する駆動手段とを備えていることを特徴とする磁気ディスクのクリーニング装置。
【請求項２】
前記駆動手段は、前記ドライブ装置による回転よりも高速で前記磁気ディスクを回転させることを特徴とする請求項１記載のクリーニング装置。
【請求項３】
前記筐体が、該筐体に収容された前記磁気ディスクカートリッジの近傍に吸入孔を備えていることを特徴とする請求項１または２記載のクリーニング装置。
【発明の詳細な説明】
【０００１】
【発明の属する技術分野】
本発明は、円盤状の磁気ディスクを備えた磁気ディスクカートリッジのための磁気ディスクのクリーニング装置に関するものである。
【０００２】
【従来の技術】
従来より、パソコン等の記録媒体として、３．５インチ（約８９ｍｍ）フロッピー（Ｒ）ディスクカートリッジが広く使用されている。この磁気ディスクカートリッジ１は、図２（ａ）の概略的断面図に示すように、四角形の扁平なプラスチック製ハウジング２内に円盤状の可撓性磁気ディスク３を収容しており、この磁気ディスク３の中心には、センタコア４が固着されている。ハウジング２の下面の中央には、センタコア４を外部に臨ませる円形の開口５が形成されている。ハウジング２の磁気ディスク３と対向する内面には、ディスク３の表面をクリーニングするための不織布で形成されたライナ８が貼られている。
【０００３】
また、デジタルカメラ等のモバイル機器には、特許文献１に記載されているような、「ｃｌｉｋ！（Ｒ）」と呼ばれる小型の磁気ディスクカートリッジが記録媒体として用いられている。この磁気ディスクカートリッジ１１には、図２（ｂ）に概略的断面図を示すように、幅５０ｍｍ、奥行き５５ｍｍ、厚さ１．９５ｍｍの扁平な金属製ハウジング１２内に、４０ＭＢの記憶容量を有する直径１．８インチ（４５．７ｍｍ）の可撓性磁気ディスク１３が収容されている。磁気ディスク１３の中心部にはセンタコア１４が固着されている。ハウジング１２の下面の中央には、センタコア１４を外部に臨ませる円形の開口１５が形成されている。
【０００４】
図２（ａ）に示す磁気ディスクカートリッジ１においては、ドライブ装置の記録再生ヘッドを磁気ディスク３にアクセスさせるための開口（図示せず）がハウジング２に形成されるとともに、この開口を開閉するための金属製スライド式シャッタ（図示せず）がハウジング２の外側に設けられているが、図２（ｂ）に示すディスクカートリッジ１１の場合、シャッタ部材としての金属製ロータリーシャッタ１６がハウジング１２の内側に回転可能に設けられ、このロータリーシャッタ１６のディスク１３と対向する内面に、ディスク１３の表面をクリーニングするための不織布で形成されたライナ１８が貼られている。
【０００５】
双方の磁気ディスクカートリッジ１，１１は、ドライブ装置に対するローディング操作に伴って、シャッタ部材が開作動されるように構成されている。
【０００６】
なお、上述した実際の寸法から明らかなように、図２（ｂ）に示す磁気ディスクカートリッジ１１は、図２（ａ）に示す磁気ディスクカートリッジ１よりも大分小型であるが、理解を容易にするために、図には略同一の大きさに描いてある。さらに、両図とも、厚さ寸法を拡大してある。
【０００７】
【特許文献１】米国特許第６２５６１６８号公報
【０００８】
【発明が解決しようとする課題】
ところで、磁気ディスクカートリッジの製造工程においては、一般にカートリッジの組立て後、サーボライトが行なわれる。そして次のサーボベリファイ工程でＮＧと判定されたディスクに対しては、再ライトして修復する処置が取られてきたが、この修復処置には限界があった。
【０００９】
特に、磁気ディスクに異物が付着するとこれを除去する手段が無いために、磁気ディスクに異物が付着した磁気ディスクカートリッジは、カートリッジ形態のまま廃却せざるを得ず、これによって得率の低下、コストの上昇を招いていた。さらに、磁気ディスクに異物が付着すると、磁気ヘッドに異物噛込みトラブルの要因となり、ドライブ装置までが不良になる虞れもあったが、ドライブ装置内での使用前におけるディスクのクリーニングは困難であった。
【００１０】
上述の事情に鑑み、本発明は、ドライブ装置へローディングされる以前にカートリッジ形態で、磁気ディスクに付着した異物を除去することができるクリーニング装置を提供することを目的とするものである。
【００１１】
【課題を解決するための手段】
本発明は、センタコアを中心部に固着した円盤状の磁気ディスクを内部に収容するハウジングに、ドライブ装置が備えている記録再生ヘッドを上記磁気ディスクにアクセスさせるための開口と、この開口を開閉するためのシャッタ部材とが設けられ、かつ磁気ディスクと対向するハウジングの内面に、または磁気ディスクと対向するシャッタ部材の内面に、磁気ディスクの表面をクリーニングするためのライナが固定されてなる磁気ディスクカートリッジのための磁気ディスクのクリーニング装置であって、
上記シャッタ部材が上記開口を閉鎖したままの状態の磁気ディスクカートリッジを収容し得る筐体と、この筐体に収容された磁気ディスクカートリッジのセンタコアをチャックして前記磁気ディスクを回転駆動する駆動手段とを備えていることを特徴とするものである。
【００１２】
上記駆動手段は、ドライブ装置による回転よりも例えば２〜３倍の高速で、磁気ディスクを回転させることが好ましい。
【００１３】
また、上記筐体が、この筐体に収容された磁気ディスクカートリッジの近傍に吸入孔を備えていることが好ましい。この吸入孔は、収容された磁気ディスクカートリッジのハウジングに形成されている、センタコアを外部に臨ませる開口の近傍に設けることが望ましい。
【００１４】
【発明の効果】
本発明によれば、磁気ディスクカートリッジを上記クリーニング装置にセットすることにより、カートリッジが内部に備えているライナにより磁気ディスクの表面をクリーニングすることができる。したがって、サーボベリファイ工程でＮＧと判定されたディスクであっても、磁気ディスクカートリッジのＮＧ原因が磁気ディスクへの異物の付着であれば、これを容易に修復することができるから、得率の向上によるコストの低減を図ることができ、しかも磁気ディスクカートリッジの品質も向上する効果がある。
【００１５】
そして、クリーニング装置による磁気ディスクのクリーニングが、シャッタ閉鎖状態で行なわれるから、クリーニング時における異物の侵入を最小限に抑えることができる。
【００１６】
また、クリーニング装置における磁気ディスクの回転を、ドライブ装置による回転よりも高速にすることにより、クリーニング効果を高めることができ、さらに、クリーニング装置に収容された磁気ディスクカートリッジの近傍に吸入孔を設けることにより、クリーニング時にライナに付着した異物を上記吸入孔から外部へ排出することができるから、クリーニング効果をさらに高めることができる。
【００１７】
【発明の実施の形態】
以下、図面を参照して本発明の実施の形態を説明する。
【００１８】
図１は、本発明によるクリーニング装置の実施の形態を、この装置にて磁気ディスクをクリーニングされる磁気ディスクカートリッジとともに示す概略的斜視図である。
【００１９】
図１に示されている磁気ディスクカートリッジ１１は、図２（ｂ）に示された「ｃｌｉｋ！（Ｒ）」と呼ばれる小型の磁気ディスクカートリッジであり、金属製ハウジング１２内に、図１では省略されているが、可撓性磁気ディスク１３が収容され、磁気ディスク１３の中心部にはセンタコア１４が固着されている。の下面の中央には、センタコア１４を外部に臨ませる円形の開口１５が形成されている（図２（ｂ）参照）。
【００２０】
ハウジング１２には、ドライブ装置が備えている磁気ヘッドを磁気ディスクにアクセスさせるための開口１２ａが形成され、かつこの開口１２ａを開閉するロータリーシャッタ１６が回転可能に軸支されている。
【００２１】
クリーニング装置２０は、略平坦な上面２１ａを備えて磁気ディスクカートリッジ１１を収容する筐体２１を有し、上面２１ａの中央には、収容された磁気ディスクカートリッジ１１のセンタコア１４を磁気的吸着によってチャックして回転駆動するドライブスピンドル２２が設けられ、このドライブスピンドル２２は、本体２１内に設けられたドライブモータの回転軸に連結されている。
【００２２】
筐体２１の上面２１ａの両側には、磁気ディスクカートリッジ１１が挿入されるスリット２３ａ、２３ａを形成する支持フレーム２３，２３が突設され、磁気ディスクカートリッジ１１はそのロータリーシャッタ１６がハウジング１２の開口１２ａを閉鎖したままの状態で筐体２１に収容される。
【００２３】
また、筐体２１の上面２１ａには、空気を吸い込むための複数の吸入孔２４がドライブスピンドル２２を取り囲むように形成され、これら吸入孔２４は、本体２１内に設けられた排気装置に連通している。さらに筐体２１の側面には、ドライブスピンドル２２を回転させるドライブモータと排気装置とをオン・オフするための押ボタンスイッチ２５と、ドライブスピンドル２２の回転速度を調節するための調節つまみ２６とが設けられている。
【００２４】
このような構成を有するクリーニング装置２０に磁気ディスクカートリッジ１１をセットして押ボタンスイッチ２５をオンにすることにより、ロータリーシャッタ１６がハウジング１２の開口１２ａを閉鎖したままの状態で、ドライブ装置による回転の２〜３倍の速度で磁気ディスク１３が回転し、磁気ディスクカートリッジ１１が内部に備えているライナ１８（図２（ｂ）参照）により磁気ディスク１３の表面がクリーニングされ、その間に、排気装置が作動して、ライナ１８に付着した異物がセンタコア１４の周囲の空隙を通じて吸入孔２４に吸い込まれ、外部に排出される。
【００２５】
したがって、サーボベリファイ工程でＮＧと判定された磁気ディスクであっても、これを容易に修復することができるから、得率の向上によるコストの低減を図ることができ、しかも磁気ディスクカートリッジ１１の品質も向上させることができる。
【００２６】
そして、クリーニング装置２０による磁気ディスク１３のクリーニングが、ロータリーシャッタ１６が閉鎖されたままで行なわれるから、クリーニング時における異物の侵入を最小限に抑えることができる。
【００２７】
また、クリーニング装置２０による磁気ディスク１３の回転を、ドライブ装置による回転よりも高速にすることにより、クリーニング効果を高めることができ、さらに、ドライブスピンドル２２の回転と同時に排気装置が作動することにより、クリーニング効果をさらに高めることができる。
【図面の簡単な説明】
【図１】本発明による磁気ディスクのクリーニング装置を、この装置にて磁気ディスクをクリーニングされる磁気ディスクカートリッジとともに示す概略的斜視図
【図２】図２（ａ），（ｂ）は、従来のディスクカートリッジの概略的断面図
【符号の説明】
１，１１    磁気ディスクカートリッジ
２，１２    ハウジング
３，１３    磁気ディスク
４，１４    センタコア
１６    ロータリーシャッタ
１８    ライナ
２０    クリーニング装置
２１    筐体
２２    ドライブスピンドル
２４    吸入孔
【図１】
2004158137.tif 000003
【図２】
2004158137.tif 000004